(57)【要約】【課題】作業性及び防護服の防護性を損なうことなく、作業環境が高温の場合でも、着用者の身体を万遍なく効果的に冷却することができる、空調着用具を提供すること。【解決手段】第１の生地１０、及び第２の生地２０から構成された空調着用具であって、第１の生地１０には冷風取入れ口１１が開口されており、第２の生地２０は、第１の生地１０の着用者側の少なくとも一部に、冷風取入れ口１１を覆うように配置されており、第２の生地２０の通気度が第１の生地１０の通気度よりも大きく、第１の生地１０の冷風取入れ口１１から冷風４０を取り入れ、取り入れた冷風４０を第１の生地１０と第２の生地２０との間隙３０に貯留させ、貯留させた冷風４０を、第２の生地２０を介して着用者の身体側に供給する構成を有する、空調着用具。【選択図】図１
2019157300.tif 000002
【特許請求の範囲】
【請求項１】
第１の生地、及び第２の生地から構成された空調着用具であって、
前記第１の生地には冷風取入れ口が開口されており、
前記第２の生地は、前記第１の生地の着用者側の少なくとも一部に、前記冷風取入れ口を覆うように配置されており、
前記第２の生地の通気度が前記第１の生地の通気度よりも大きく、
前記第１の生地の冷風取入れ口から冷風を取り入れ、前記取り入れた冷風を前記第１の生地と前記第２の生地との間隙に貯留させ、前記貯留させた冷風を、前記第２の生地を介して着用者の身体側に供給する構成を有する、
空調着用具。
【請求項２】
前記第１の生地の通気度及び前記第２の生地の通気度を、それぞれ、ＪＩＳ  Ｌ  １０９６：２０１０のフラジール形法に準拠して測定したときに、前記第２の生地の通気度と前記第１の生地の通気度との差が、０．０５ｃｃ／ｃｍ２・ｓｅｃ以上４００ｃｃ／ｃｍ２・ｓｅｃ以下である、請求項１に記載の空調着用具。
【請求項３】
ＪＩＳ  Ｌ  １０９６：２０１０のフラジール形法に準拠して測定された前記第２の生地の通気度が０．５ｃｃ／ｃｍ２・ｓｅｃ以上４００ｃｃ／ｃｍ２・ｓｅｃ以下である、請求項１又は２に記載の空調着用具。
【請求項４】
前記第２の生地が、織布、不織布、又は複数の小孔を有する合成樹脂フィルムから成る、請求項３に記載の空調着用具。
【請求項５】
ＪＩＳ  Ｌ  １０９６：２０１０のフラジール形法に準拠して測定された前記第１の生地の通気度が０．５ｃｃ／ｃｍ２・ｓｅｃ未満である、請求項１〜４のいずれか一項に記載の空調着用具。
【請求項６】
前記第１の生地が、織布、不織布、編物、又は合成樹脂フィルムから成る、請求項５に記載の空調着用具。
【請求項７】
前記空調着用具は、後身頃及び前身頃を有し、
前記後身頃は、前記第１の生地及び前記第２の生地を有し、
前記冷風取入れ口は、前記後身頃の前記第１の生地中に開口されており、
前記第２の生地は、前記後身頃を構成する前記第１の生地の着用者側の少なくとも一部に、前記冷風取入れ口を覆うように配置されており、
前記前身頃は、前記第１の生地を有し、かつ第２の生地を有さない、
請求項１〜６のいずれか一項に記載の空調着用具。
【請求項８】
防護服又は作業着の上に着用するためのものである、請求項１〜７のいずれか一項に記載の空調着用具。
【請求項９】
請求項１〜８のいずれか一項に記載の空調着用具と、
空気コンプレッサと、
渦動理論の原理によって圧縮空気流から冷風を発生する冷風供給装置と
を含む、空調着用具システム。
【請求項１０】
請求項１〜８のいずれか一項に記載の空調着用具を用い、
前記第１の生地の冷風取入れ口から冷風を取り入れ、前記取り入れた冷風を前記第１の生地と前記第２の生地との間隙に貯留させ、前記貯留させた冷風を、前記第２の生地を介して着用者の身体側に供給する、
空調方法。
【発明の詳細な説明】
【技術分野】
【０００１】
本発明は、空調着用具に関する。詳しくは、高温環境下で防護服を着用して作業する着用者の身体を効率的に冷却するための、空調効果を有する着用具に関する。
【背景技術】
【０００２】
例えば、焼却灰の運搬、アスベストの除去等の作業に従事する作業者は、身体を塵灰から保護するため、防塵性の防護服を着用する。
焼却灰は高温を維持している場合があり、その運搬は高温環境下の作業となる。アスベストの除去作業は、アスベスト粉塵の拡散防止のため、作業場を閉め切って行われるため、特に夏場は高温環境下となる。
【０００３】
防護服を着用すると、作業者と外部環境との間の空気の流通が遮断又は制限されるため、汗の蒸発による体温の発散が困難となる。
したがって、高温環境下で防護服を着用して作業を行う場合、作業者は酷暑にさらされることとなるため、作業者の健康維持、作業の効率向上等の観点から、適当な冷却手段を講じることが望まれる。
【０００４】
ここで高温環境下とは、概ね、気温が２８℃以上であるか、又は暑さ指数（ＷＢＧＴ：Ｗｅｔ  Ｂｕｌｂ  Ｇｌｏｂｅ  Ｔｅｍｐｅｒａｔｕｒｅ（湿球黒球温度））が２５℃（警戒）以上である場合を意味する。 
【０００５】
従来技術における冷却手段として、例えば、特許文献１には、身体に対して略平行な平行風を発生させる平行風発生手段、平行風を体に平行に案内するための衣服をかねた案内シート、平行風発生手段に電源を供給する電源手段等を備え、所定量の空気を案内シートと下着又は人体との間に送風することができる冷却衣服が記載されている。特許文献１の平行風発生手段としては、側流ファンが記載されている。
特許文献２には、身体を覆う服本体、空気を体に沿って所定方向に案内する空気案内手段、空気を外部から取り込んで空気案内手段と服本体との間の空間に空気の流れを生じさせるファン、ファンに電力を供給する電源装置等を備える空調特殊服が記載されている。
【０００６】
特許文献３には、固形タイプの冷却媒体を要せずに防護服内に冷風を送るための低温空気供給装置が記載されている。この低温空気供給装置は、供給される圧縮空気を冷気と暖気とに分離して２方向に排出する、いわゆるボルテックスチューブを備える。
【先行技術文献】
【特許文献】
【０００７】
【特許文献１】特開２００５−５４２９９号公報
【特許文献２】国際公開第２０１６／０７１９６６号
【特許文献３】特開２０１４−１６８５２７号公報
【発明の概要】
【発明が解決しようとする課題】
【０００８】
特許文献１及び２は、いずれも、作業環境の空気を防護服内に流通させる技術に関する。したがって、作業環境の温度が低い場合には、特許文献１及び２の技術は奏功し、着用者を冷却することができる。しかし、作業環境の気温が高い場合には、防護服内に熱風が供給されることとなり、冷却効果は得られない。
【０００９】
また、防護服内に作業環境の空気を入れることにより、着用者を作業環境から遮断して防護するとの防護服の機能を損なうことが懸念される。更に、送風用のファン及びその電源を備える防護服は、着用者の作業性を損なうことが懸念される。
【００１０】
特許文献３に記載された低温空気供給装置を使用すれば、防護服に簡易軽量の低温空気供給装置を付加するのみで、作業環境の気温が高い場合でも防護服内に冷風を供給することが可能となる。また、圧縮空気の供給源を作業環境外部の清浄空気とすれば、防護服の防護性を損なうことは抑制される。しかし特許文献３の技術では、冷風の取入れ口付近は局所的に冷却されるものの、取入れ口から遠い箇所に冷風が行きわたらずに冷却不足となり、又は局所的に冷却された部位に結露が発生することがある等、十分な冷却効果を得ることはできない。
【００１１】
したがって本発明は、作業性及び防護服の防護性を損なうことなく、作業環境が高温の場合でも、着用者の身体を万遍なく効果的に冷却することができる、空調着用具を提供することを目的とする。
【課題を解決するための手段】
【００１２】
本発明者は、上記の目的を達成するために鋭意検討した結果、以下の本発明に至った。
【００１３】
［１］第１の生地、及び第２の生地から構成された空調着用具であって、
前記第１の生地には冷風取入れ口が開口されており、
前記第２の生地は、前記第１の生地の着用者側の少なくとも一部に、前記冷風取入れ口を覆うように配置されており、
前記第２の生地の通気度が前記第１の生地の通気度よりも大きく、
前記第１の生地の冷風取入れ口から冷風を取り入れ、前記取り入れた冷風を前記第１の生地と前記第２の生地との間隙に貯留させ、前記貯留させた冷風を、前記第２の生地を介して着用者の身体側に供給する構成を有する、
空調着用具。
［２］前記第１の生地の通気度及び前記第２の生地の通気度を、それぞれ、ＪＩＳ  Ｌ  １０９６：２０１０のフラジール形法に準拠して測定したときに、前記第２の生地の通気度と前記第１の生地の通気度との差が、０．０５ｃｃ／ｃｍ２・ｓｅｃ以上４００ｃｃ／ｃｍ２・ｓｅｃ以下である、［１］に記載の空調着用具。
［３］ＪＩＳ  Ｌ  １０９６：２０１０のフラジール形法に準拠して測定された前記第２の生地の通気度が０．５ｃｃ／ｃｍ２・ｓｅｃ以上４００ｃｃ／ｃｍ２・ｓｅｃ以下である、［１］又は［２］に記載の空調着用具。
［４］前記第２の生地が、織布、不織布、又は複数の小孔を有する合成樹脂フィルムから成る、［３］に記載の空調着用具。
［５］ＪＩＳ  Ｌ  １０９６：２０１０のフラジール形法に準拠して測定された前記第１の生地の通気度が０．５ｃｃ／ｃｍ２・ｓｅｃ未満である、［１］〜［４］のいずれか一項に記載の空調着用具。
［６］前記第１の生地が、織布、不織布、編物、又は合成樹脂フィルムから成る、［５］に記載の空調着用具。
［７］前記着用具は、後身頃及び前身頃を有する着用具であり、
前記後身頃は、前記第１の生地及び前記第２の生地を有し、
前記冷風取入れ口は、前記後身頃の前記第１の生地中に開口されており、
前記第２の生地は、前記後身頃を構成する前記第１の生地の着用者側の少なくとも一部に、前記冷風取入れ口を覆うように配置されており、
前記前身頃は、前記第１の生地を有し、かつ第２の生地を有さない、
［１］〜［６］のいずれか一項に記載の空調着用具。
［８］防護服又は作業着の上に着用するためのものである、［１］〜［７］のいずれか一項に記載の空調着用具。
［９］上記［１］〜［８］のいずれか一項に記載の空調着用具と、
空気コンプレッサと、
渦動理論の原理によって圧縮空気流から冷風を発生する冷風供給装置と
を含む、空調着用具システム。
［１０］上記［１］〜［８］のいずれか一項に記載の空調着用具を用い、
前記第１の生地の冷風取入れ口から冷風を取り入れ、前記取り入れた冷風を前記第１の生地と前記第２の生地との間隙に貯留させ、前記貯留させた冷風を、前記第２の生地を介して着用者の身体側に供給する、
空調方法。
【発明の効果】
【００１４】
本発明の空調着用具は、簡易軽量であるから、着用者の作業性を損なう程度が極めて小さい。この空調着用具は、防護服の上から着用することができ、防護服に送風口を設けなくても冷却効果を得ることができるから、防護服の防護性を損なうことはない。更に、この空調着用具は、冷風取入れ口付近のみならず、着用者の身体を万遍なく効果的に冷却することができるから、着用者は高温環境下でも快適に作業を行うことができる。
【図面の簡単な説明】
【００１５】
【図１】図１は、本発明の空調着用具の基本原理を示す説明図である。
【図２】図２は、本発明の空調着用具のある実施態様を示す説明図である。
【図３】図３は、実施例において温度センサーを装着した位置を示す説明図である。
【図４】図４は、実施例における試験の様子を示す図面代用写真である。
【図５】図５は、実施例３で得られた各温度センサー設置位置における温度の経時変化を示すグラフである。
【図６】図６は、比較例１で得られた各温度センサー設置位置における温度の経時変化を示すグラフである。
【発明を実施するための形態】
【００１６】
＜空調着用具＞
本発明の空調着用具の基本原理を示す説明図を、概略断面図として図１に示した。
本発明の空調着用具は、
第１の生地１０、及び第２の生地２０から構成された着用具であって、
第１の生地１０には冷風取入れ口１１が開口されており、
第２の生地２０は、第１の生地１０の着用者側の少なくとも一部に、冷風取入れ口１１を覆うように配置されており、
第２の生地２０の通気度が第１の生地１０の通気度よりも大きい。
【００１７】
このような構成を有する本発明の空調着用具は、第１の生地１０の冷風取入れ口１１から冷風４０を取り入れることができる。取り入れた冷風４０は、第１の生地１０と第２の生地２０との間隙３０に一旦貯留され、第２の生地２０を介して着用者の身体側に供給される。
ここで、取り入れた冷風４０が作業者の身体側に供給されるとき、直接供給されるのではなく、第１の生地１０と第２の生地２０との間隙３０に一旦貯留されたうえで、第２の生地２０を介して、広い範囲に分配されて徐々に供給されることが重要である。
【００１８】
このような供給態様により、冷風取入れ口１１付近のみならず、着用者の身体を万遍なく効果的に冷却することができる。例えば、冷風取入れ口１１を空調着用具の背面腰部に配置したとき、着用者の背面腰部及びその付近だけではなく、例えば腹部、胸部等の身体前面部も効率よく冷却することができる。このことは、後述の実施例において、着用者の身体の中心部、前面部、及び背面部に装着した複数個の温度センサーによって測定された各温度の差が小さいことによって、検証されている。
【００１９】
ここで冷風とは、環境温度未満の温度を有する空気の流れをいう。
【００２０】
冷風を、冷風取入れ口から取り入れて第１の生地と第２の生地との間隙に貯留させ、この貯留させた冷風を、第２の生地を介して着用者の身体側に分配供給するためには、第２の生地の通気度が第１の生地の通気度よりも大きいことを要する。
更に、取り入れた冷風を貯留させる貯留効果と、貯留させた冷風を着用者の身体側に分配供給する分配供給効果とを、良好なバランスで両立させるためには、第２の生地の通気度と第１の生地の通気度との差が、０．０５ｃｃ／ｃｍ２・ｓｅｃ以上４００ｃｃ／ｃｍ２・ｓｅｃ以下であることが好ましい。第２の生地の通気度と第１の生地の通気度との差が過度に小さいと、貯留された後に第２の生地を介さずに供給される冷風の割合が過度に多くなって分配供給効果が損なわれる場合があり、好ましくない。一方で、第２の生地の通気度と第１の生地の通気度との差が過度に大きいと、第２の生地を介する冷風の供給が過度に速くなって貯留効果が損なわれる場合があり、好ましくない。
【００２１】
第２の生地の通気度と第１の生地の通気度との差は、分配供給効果を有効に発現させるために、０．１ｃｃ／ｃｍ２・ｓｅｃ以上、０．３ｃｃ／ｃｍ２・ｓｅｃ以上、０．６ｃｃ／ｃｍ２・ｓｅｃ以上、又は０．９ｃｃ／ｃｍ２・ｓｅｃ以上であってもよく、貯留効果を有効に発現させるために、２００ｃｃ／ｃｍ２・ｓｅｃ以下、１００ｃｃ／ｃｍ２・ｓｅｃ以下、５０ｃｃ／ｃｍ２・ｓｅｃ以下、２０ｃｃ／ｃｍ２・ｓｅｃ以下、１０ｃｃ／ｃｍ２・ｓｅｃ以下、又は５ｃｃ／ｃｍ２・ｓｅｃ以下であってもよい。
【００２２】
本明細書における生地の通気度とは、ＪＩＳ  Ｌ  １０９６：２０１０のフラジール形法に準拠して測定された値を意味する。
【００２３】
［第１の生地］
第１の生地は、空調着用具の貯留効果を有効に発現させるために、ＪＩＳ  Ｌ  １０９６：２０１０のフラジール形法に準拠して測定される通気度が、０．５ｃｃ／ｃｍ２・ｓｅｃ未満であることが好ましい。第１の生地の通気度は、０．４ｃｃ／ｃｍ２・ｓｅｃ以下、０．３ｃｃ／ｃｍ２・ｓｅｃ以下、０．２ｃｃ／ｃｍ２・ｓｅｃ以下、又は０．１ｃｃ／ｃｍ２・ｓｅｃ以下であってもよく、全く通気しない生地であってもよい。
【００２４】
第１の生地は、上記の通気度の要件を満足し、かつ、着用に適する素材であれば、どのような材料から構成されていてもよく、例えば、織布、不織布、編物、合成樹脂フィルム等から構成されていてよい。
【００２５】
第１の生地を構成する織布及び編物中の繊維は、植物繊維、動物繊維、及び合成繊維のいずれであってもよい。植物繊維としては、例えば、亜麻、大麻、葛、綿、バショウ等を；動物繊維としては、例えば、羊毛、蚕糸等を；合成繊維としては、例えば、ポリオレフィン（ポリエチレン（ＰＥ）、ポリプロピレン（ＰＰ）等）、ポリエステル（ポリエチレンテレフタレート（ＰＥＴ）等）、ナイロン等を；それぞれ挙げることができる。
【００２６】
不織布は、例えば、ポリオレフィン、ポリエステル、ポリアミド、セルロース等の繊維の不織布であってよい。ポリオレフィンとしては、ＰＥ、ＰＰ等を；ポリエステルとしては、ＰＥＴ等を；ポリアミドとしては、ナイロン、アラミド等を；それぞれ挙げることができる。
合成樹脂フィルムは、熱可塑性樹脂のフィルムであることが好ましく、例えば、ポリオレフィン（ＰＥ、ＰＰ等）、ポリエステル（ＰＥＴ等）、ポリ塩化ビニル、ポリスチレン、ポリ酢酸ビニル、オレフィン−酢酸ビニル共重合体（エチレン−酢酸ビニル共重合体（ＥＶＡ）、プロピレン−酢酸ビニル共重合体（ＰＶＡ）等）、ポリウレタン、アクリル樹脂（ポリメチルメタクリレート、ポリエチルメタクリレート等）等のフィルムであってよい。
【００２７】
第１の生地は、上記の通気度の要件を満足する限りで、小孔を有していなくてもよいし、小孔を有していてもよい。
【００２８】
第１の生地の目付けは、上記の通気度の要件を満足し、かつ、着用に適する範囲で適宜に設定されてよく、例えば、１０ｇ／ｍ２以上１，０００ｇ／ｍ２以下の範囲、好ましくは１００ｇ／ｍ２以上６００ｇ／ｍ２以下の範囲であってよい。
【００２９】
第１の生地には、冷風取入れ口が開口されている。この冷風取入れ口は、空調着用具としたときに、パイプ、チューブ等の連結手段によって何らかの冷風供給手段と連結されることが予定されている。
冷風取入れ口の大きさは任意であるが、冷風を有効に取り入れることができ、かつ、作業の妨げにならないような範囲の大きさに設定することが好ましく、例えば、１０ｃｍ２以上５００ｃｍ２以下、好ましくは２０ｃｍ２以上２００ｃｍ２以下の大きさである。
冷風取入れ口の形状は、例えば、多角形（特に矩形）、円形、不定形等の任意の形状であってよい。
【００３０】
冷風取入れ口の位置としては、空調着用具として着用し、冷風供給手段と連結されたときに、作業の妨げとならず、かつ、着用者への有効冷却効果が得られる位置とすることが望まれる。例えば着用者の背面部、具体的には、後肩部、背部、後腰部等の任意の位置であってよい。
【００３１】
［第２の生地］
第２の生地は、空調着用具としてときに、取り入れられた冷風の貯留効果と、貯留させた冷風の分配供給効果とを、良好なバランスで両立させるために、ＪＩＳ  Ｌ  １０９６：２０１０のフラジール形法に準拠して測定される通気度が、０．５ｃｃ／ｃｍ２・ｓｅｃ以上４００ｃｃ／ｃｍ２・ｓｅｃ以下であることが好ましい。
【００３２】
第２の生地の通気度は、０．６ｃｃ／ｃｍ２・ｓｅｃ以上、０．８ｃｃ／ｃｍ２・ｓｅｃ以上、１．０ｃｃ／ｃｍ２・ｓｅｃ以上、２．０ｃｃ／ｃｍ２・ｓｅｃ以上、５．０ｃｃ／ｃｍ２・ｓｅｃ以上、１０ｃｃ／ｃｍ２・ｓｅｃ以上、２０ｃｃ／ｃｍ２・ｓｅｃ以上、５０ｃｃ／ｃｍ２・ｓｅｃ以上、又は１００ｃｃ／ｃｍ２・ｓｅｃ以上であってもよく、３５０ｃｃ／ｃｍ２・ｓｅｃ以下、３００ｃｃ／ｃｍ２・ｓｅｃ以下、２５０ｃｃ／ｃｍ２・ｓｅｃ以下、２００ｃｃ／ｃｍ２・ｓｅｃ以下、１５０ｃｃ／ｃｍ２・ｓｅｃ以下、１００ｃｃ／ｃｍ２・ｓｅｃ以下、５０ｃｃ／ｃｍ２・ｓｅｃ以下、３０ｃｃ／ｃｍ２・ｓｅｃ以下、１０ｃｃ／ｃｍ２・ｓｅｃ以下、５．０ｃｃ／ｃｍ２・ｓｅｃ以下、又は３．０ｃｃ／ｃｍ２・ｓｅｃ以下であってもよい。
【００３３】
第２の生地は、上記の通気度の要件を満足し、かつ、着用に適する素材であれば、どのような材料から構成されていてもよく、例えば、織布、不織布、又は複数の小孔を有する合成樹脂フィルム等から構成されていてよい。
第２の生地を構成する織布及び不織布中の繊維、並びに合成樹脂フィルムを構成する合成樹脂の種類は、それぞれ、第１の生地を構成する織布、不織布、及び合成樹脂フィルムについて上記に説明したものの中から、適宜に選択してよい。
【００３４】
第２の生地が合成樹脂フィルムである場合、上記の通気度の要件を満足するためには、合成樹脂フィルムに多数の小孔を形成した上で、第２の生地として使用してよい。孔の形状は、例えば、円形、多角形、不定形等の任意の形状で合ってよい。
【００３５】
合成樹脂フィルムに小孔を形成するには、例えば、市販のパーフォレータ、ミシン目加工機等を使用することができる。
小孔のサイズ及び分布は、所望の通気度に応じて適宜に設定されてよい。一例として例えば、円換算直径０．０５ｍｍ以上２．５０ｍｍ以下の小孔を、正方格子状、六角格子状等の分布で、小孔の円換算直径を超えて５０ｍｍ以下の平均ピッチにて形成する場合が挙げられる。
【００３６】
織布又は不織布の繊維間には隙間があるため、第２の生地が織布又は不織布から構成されている場合には、小孔を有さない生地であっても、一定の通気度を有することがある。
したがって、第２の生地としての通気度の要件を満足する織布又は不織布を選択し、これを第２の生地としてそのまま使用してよい。また、第２の生地としての通気度の要件を満足する限り、多数の小孔を有する織布又は不織布を第２の生地として使用してもよい。織布又は不織布に小孔を形成するには、例えば、市販のパーフォレータ、ミシン目加工機等を使用することができる。
【００３７】
第２の生地の目付けは、上記の通気度の要件を満足し、かつ、着用に適する範囲で適宜に設定されてよく、例えば、１０ｇ／ｍ２以上１，０００ｇ／ｍ２以下の範囲、好ましくは１００ｇ／ｍ２以上６００ｇ／ｍ２以下の範囲であってよい。
【００３８】
第２の生地は、第１の生地の着用者側の少なくとも一部の上に、第１の生地に開口された冷風取入れ口を覆うように配置されている。
第２の生地は、取り入れられた冷風の貯留効果及び貯留した冷風の分配供給効果を有効に発現させるために、第１の生地に開口された冷風取入れ口を完全に覆うように配置される。第２の生地が配置される範囲は、空調着用具の内側全面としてもよい。しかし、本発明の空調着用具では、第２の生地をそのような大面積で配置しなくても、冷風の貯留効果及び分配供給効果は有効に発現する。
【００３９】
第１の生地上に第２の生地が配置される面積割合は、冷風取入れ口を完全に覆う大きさを有し、かつ、得られる第１の生地の面積に対して、１０％以上、２０％以上、３０％以上、又は４０％以上であってよく、９０％以下、８０％以下、７０％以下、又は６０％以下であってよい。
冷風取入れ口が、第１の生地のうちの空調着用具の後身頃の一部に開口している場合、第２の生地は、例えば、当該空調着用具の後身頃の全面に配置されてよい。
【００４０】
［第１の生地と第２の生地との縫合］
冷風の貯留効果及び分配供給効果を有効に発現させるために、第２の生地は、第１の生地との間に間隙を生じ得るように配置されることが望まれる。例えば、第１の生地と第２の生地とが周辺縁部で縫合されており、それ以外の部分では互いに固定されていない場合が挙げられる。この場合、冷風取入れ口から取り入れた冷風を、第１の生地と第２の生地との間に一旦貯留したうえで、第２の生地を介して分配供給することができる。
冷風の貯留効果及び分配供給効果が有効に発現される限り、周辺縁部以外の部分の一部領域で、第１の生地と第２の生地とを縫合固定することは許容される。
【００４１】
［空調着用具の形状］
本発明の空調着用具は、本発明所定の第１の生地及び第２の生地を有している限り、その形状に特段の制限はない。
冷却したい身体部位に応じて、例えば、ベスト形、ジャケット形、腹巻形、ズボン形、オーバーオール形、手袋形、靴形、マスク形、帽子形、ゴーグル形、ヘルメット形、ショルダーバッグ形、リュックサック形等の任意の形状をとることが可能である。
【００４２】
しかしながら、高温環境下の作業現場では、作業者の上半身を広い範囲で冷却することが、作業者の体感温度の低下に有効であると考えられることから、少なくとも上半身の一部の周囲を覆う衣料の形状を有する空調着用具が好適である。
【００４３】
この空調着用具は、例えば、後身頃及び前身頃を有し、
後身頃は、第１の生地及び第２の生地を有し、
冷風取入れ口が、後身頃の第１の生地中に開口されており、
第２の生地は、後身頃を構成する第１の生地の着用者側の少なくとも一部に、冷風取入れ口を覆うように配置されており、
前身頃は、第１の生地を有し、かつ第２の生地を有さない、
空調着用具であってよい。
【００４４】
更に、このような空調着用具において、前身頃を、左前身頃と右前身頃とに分割し、左前身頃と右前身頃とをファスナーによって係脱可能に接合することが、空調着用具の着脱を容易化する観点から好ましい。このような態様は、本発明の空調着用具を防護服のうえに着用するときに、有利である。
【００４５】
本発明において特に好ましい空調着用具の例としては、具体的には例えば、ベスト形、ジャケット形、オーバーオール形等を挙げることができ、着用時の作業効率と冷却効率とのバランスの観点からは、袖及びフードを有さないベスト形である空調着用具、又は袖及びフードのうちの少なくとも一方、好ましくは双方を有するジャケット形である空調着用具を挙げることができる。
【００４６】
作業者の身体のうち、太い血管が通っている部位を冷却することが、作業者の体感温度の低下に有効である。したがって、本発明の空調着用具において、腋下動脈を覆う袖、頸動脈を覆うフード等を配置することは、効率的な冷却効果を得る観点から、好ましい。
【００４７】
袖口、フードの開口部、身頃の裾部等には絞りを施して、冷風が無為に漏出することを抑制して冷風の貯留効果及び分配供給効果を向上することも、本発明の好ましい態様である。
【００４８】
図２に、袖及びフードを有するジャケット形の空調着用具の一例を示した。図２（ａ）は正面図であり、図２（ｂ）は左側面図である。
図２（ａ）及び図２（ｂ）に示した空調着用具１００は、後身頃５０及び前身頃６０を有する。
図２（ｃ）は、図２（ｂ）の左側面図に示した後身頃５０の一部の拡大断面図である。
【００４９】
図２（ｃ）に示した後身頃５０の拡大断面図を参照すると、この後身頃５０は、第１の生地１０及び第２の生地２０を有することが理解される。この後身頃５０の第１の生地１０のうちの後腰部に相当する位置には、冷風取入れ口１１が開口されている。第２の生地２０は、後身頃５０を構成する第１の生地１０の着用者側に、冷風取入れ口１１を覆うように配置されている。この第２の生地２０は、例えば、後身頃５０の全面に配置され、かつ、周辺縁部において第１の生地と縫合固定されており、該周辺縁部以外の部分では固定されていない。このような構成により、第１の生地１０及び第２の生地２０の間に、間隙３０が形成可能となる。
一方、空調着用具１００の前身頃６０は、第１の生地１０を有するが、第２の生地を有さない。前身頃６０は、左前身頃６１と右前身頃６２とに分割されており、これら左右の前身頃は、ファスナーによって係脱可能に接合されている。
【００５０】
図２の空調着用具１００は、更に、袖（半袖）７０及びフード８０を有し、それぞれ、腋下動脈及び頸動脈の冷却を可能として、冷却効果を高めている。また、後身頃５０及び前身頃６０の裾部、袖７０の袖口、フード８０の開口部（顔面部が露出するところ）には、例えばゴム絞りによって絞りが施され、冷風が無為に漏出することが抑制されて、冷風の貯留効果及び分配供給効果の向上が図られている。
【００５１】
［冷風の供給］
第１の生地に開口された冷風取入れ口からは、適宜の冷風供給手段によって発生された冷風が供給される。
ここで使用される冷風供給手段は、作業者の作業環境で適用可能なもののうち適宜の手段を選択して使用することができる。例えば、エアーコンディショナー、ヒートポンプ等を利用できる他、渦動理論（ボルテックス理論）の原理によって圧縮空気流から冷風を発生する冷風供給装置を適用することが有利である。この装置は、例えば、特許文献３に記載されている。
【００５２】
この冷風供給装置では、先ず、圧縮空気供給口から供給された圧縮空気をチューブ状の装置内で渦流とし、渦の遠心力によって外側渦の圧力、密度、及び温度を上昇させつつ、熱風出口方向へ移動させる。熱風出口では、流量調整弁で熱風の一部を装置の外部に排出させるが、残りの部分は圧力の低い渦流中心部を通って、冷風出口方向へ移動する。渦流中心部を移動する空気は、膨張しながら減速して、制動作用によって外側の渦流に対して仕事をする。そのため、渦流中心部を移動する空気は、熱を奪われて温度が低くなった状態で、冷風出口から装置の外部に排出される。
【００５３】
この冷風供給装置は、このような原理で冷風を供給することができ、圧縮空気を発生させるための空気コンプレッサを稼働させる以外の電力を必要としないから安価であり、コンパクトでもあるから、コスト及び作業効率を最大限に考慮しても、１人又は少数の作業者に１台を配置することが容易である。
【００５４】
この冷風供給手段は、例えば、ボルテックスチューブ、ボルテックスクーラー、エアークーラー、ジェットクーラー等の商品名で、各社から市販されている。
【００５５】
このような、渦動理論の原理によって圧縮空気流から冷風を発生する冷風供給装置は、圧縮空気供給口を空気コンプレッサに連結したうえで、冷風出口を、本発明の空調着用具の冷風取入れ口に連結して用いられる。これらの連結は、例えば、パイプ、チューブ等の適当な連結手段によって行われてよい。
【００５６】
［空調着用具の適用方法］
本発明の空調着用具は、高温環境下において、作業者が着用して作業するのに適する。
本発明の空調着用具は、作業者が作業のために着用する防護服、作業着等の上から着用することができる。したがって、特に、高温環境下で防護服を着用して作業を行う作業者の身体の冷却に有効である。
【００５７】
本発明の空調着用具を、防護服上に着用して用いる場合、空調着用具と防護服との間に、インナーウエアを着用してもよい。適当な素材から構成される織布、不織布、編物等のインアウエアを着用することにより、本発明の空調着用具と防護服との間に、空気の層を設けることができ、冷却効果を更に向上することができる。
このインナーウエアは、例えば、ベスト型、ジャケット型等であってよい。本発明の空調着用具と防護服との間に、袖（半袖）を有するジャケット型であるインナーウエアを着用すると、作業者の腋下動脈の冷却効果が向上され、体感温度がより低くなるため、好ましい。
【００５８】
＜空調着用具システム＞
本発明の別の観点では、上記に説明した本発明の空調着用具と、
空気コンプレッサと、
渦動理論の原理によって圧縮空気流から冷風を発生する冷風供給装置と
を含む、空調着用具システムが提供される。
【００５９】
＜空調方法＞
本発明の更に別の観点では、上記に説明した本発明の空調着用具を用い、
第１の生地の冷風取入れ口から冷風を取り入れ、取り入れた冷風を第１の生地と第２の生地との間隙に貯留させ、貯留させた冷風を、第２の生地を介して着用者の身体側に供給する、空調方法が提供される。
【実施例】
【００６０】
＜＜気温３４℃、相対湿度５０％ＲＨ、暑さ指数２９℃における試験＞＞
実施例１〜８及び比較例１では、気温３４℃、相対湿度５０％ＲＨ、暑さ指数（ＷＢＧＴ：Ｗｅｔ  Ｂｕｌｂ  Ｇｌｏｂｅ  Ｔｅｍｐｅｒａｔｕｒｅ（湿球黒球温度））２９℃（厳重警戒）の恒温恒湿室内で試験を行った。
【００６１】
＜実施例１〜８＞
上記の環境に調整した恒温恒湿室内で、直立姿勢の等身大マネキンに、粉じん対応防護服（旭・デュポン  フラッシュスパン  プロダクツ（株）製、タイベック（登録商標）ソフトウェアＩＩＩ型）を着用させ、この防護服上に、インナーベスト（高階救命器具（株）製、ＡＣベストＲのインナーベスト）を更に着用させた。
【００６２】
防護服及びインナーベストを着用させたマネキンの、中央部に３個、前面部に４個、及び背面部に４個の合計１１個の温度センサーを装着した。温度センサーの装着位置は、図３（ａ）の前面図及び図３（ｂ）の背面図に示したとおり、以下の１１カ所である。
中央部：腹部中央（Ｃ１）、後頸部中央（Ｃ２）、及び後背部中央（Ｃ３）
前面部：前胸左側（Ｆ１）、前胸右側（Ｆ２）、前腰左側（Ｆ３）、及び前腰右側（Ｆ４）
背面部：後肩左側（Ｒ１）、後肩右側（Ｒ２）、後腰左側（Ｒ３）、及び後腰右側（Ｒ４）
このとき、後頸部中央（Ｃ２）の温度センサーは防護服上に、その他の位置の温度センターはインナーベスト上に、それぞれ装着した。
【００６３】
以上のとおりに温度センサーを装着した後、マネキンに各実施例の空調着用具を着用させた。試験した空調着用具は、図２に示した形状の、フード及び半袖を有するジャケット型である。
【００６４】
このジャケットは、第１の生地で構成される前身頃、後身頃、フード、及び半袖を有し、これらがジャケットの主形状を構成している。後身頃の第１の生地には、腰位置中央に、縦約１０ｃｍ及び横約５ｃｍの矩形の冷風取入れ口が開口されている。
【００６５】
後身頃の第１の生地の着用者の身体側には、全面に第２の生地が配置され、これにより、第２の生地が、第１の生地に開口する冷風取入れ口を覆っている。第２の生地の周辺縁部は後身頃の第１の生地に縫合されている。後身頃において、第１の生地と第２の生地とは周辺縁部以外の部分で縫合固定されておらず、冷風取入れ口から取り入れた冷風を、両生地の間隙に貯留したうえで、第２の生地を介して着用者側に分配供給することができる。
【００６６】
ジャケットは、後身頃以外の部分に第２の生地を有さない。
ジャケットの前身頃は、左前身頃と右前身頃とに分割されており、これら左右の前身頃は、ファスナーによって係脱可能に接合されている。
ジャケットのフードは、頸部の全周においてベスト本体と縫合され、かつ、周端部がゴム締めされており、左右前身頃の接合ファスナーを全締にしたとき、顔面の一部のみが露出するように構成されている。
前後身頃の裾部及び半袖の端部は、それぞれ、ゴム絞りが施されている。
【００６７】
第１の生地としては、実施例１〜７ではポリプロピレン製の不織布を、実施例８ではポリポロピレン製のフィルムを、それぞれ用いた。これら第１の生地について、ＪＩＳ  Ｌ  １０９６：２０１０のフラジール形法に準拠して測定された通気度は、それぞれ、表１に示したとおりである。
第２の生地としては、ポリプロピレン製の不織布に多数の小孔を形成して、ＪＩＳ  Ｌ  １０９６：２０１０のフラジール形法に準拠して測定された通気度を、それぞれ表１に記載の値に調整したものを用いた。
第２の生地の小孔の形成は、市販のパーフォレータを用いて行い、形成する小孔の径及びピッチを変更することにより、通気度を調整した。
【００６８】
冷風供給装置としては、ボルテックスチューブ（ボルテックス社製、マンクーリングシステム）を用いた。
各実施例で得られた空調着用具の後身頃の第１の生地に開口された冷風取入れ口を、ボルテックスチューブの冷風出口に接続し、ボルテックスチューブの圧縮空気供給口を、エアーコンプレッサ（（株）日建製、ＭＡＸシリーズ）に接続した。
【００６９】
そして、エアーコンプレッサを稼働させ、ボルテックスチューブの圧縮空気供給口から圧力０．５ＭＰａの圧縮空気を連続的に供給して、マネキンに装着された１１個の温度センサーにより、各温度センサー設置位置における温度を経時的に測定した。
測定結果を、冷風の供給開始後１５分〜１８０分の間の平均温度として、表１に示した。
【００７０】
＜比較例１＞
第２の生地として、通気度４５０ｃｃ／ｃｍ２・ｓｅｃの立体編物を使用した他は、実施例１と同様に空調着用具を製造し、評価を行った。
評価結果は、表１に示した。
【００７１】
【表１】
2019157300.tif 000003
【００７２】
実施例における試験の様子を、図面代用写真として図４に示した。図４（ａ）は正面図、図４（ｂ）は拡大左側面図である。
また、実施例３で得られた各温度センサー設置位置における温度の経時変化を図５に、比較例１で得られた各温度センサー設置位置における温度の経時変化を図６に、
それぞれ、示した。図５（ａ）及び図６（ａ）が身体の中央部、図５（ｂ）及び図６（ｂ）が前面部、図５（ｃ）及び図６（ｃ）が背面部の測定位置についてのグラフである。
【００７３】
＜＜気温３６℃、相対湿度５０％ＲＨ、暑さ指数３１℃における試験＞＞
＜実施例９及び１０＞
実施例９では、上記実施例１で製造した空調着用具を、
実施例１０では、上記実施例３で製造した空調着用具を
それぞれ用い、恒温恒湿室の環境を、気温３６℃、相対湿度５０％ＲＨ、暑さ指数３１℃（危険）に変更した他は、実施例１と同様に評価を行った。
評価結果は、表２に示した。
【００７４】
【表２】
2019157300.tif 000004
【符号の説明】
【００７５】
１    防護服
２    インナーベスト
１０    第１の生地
１１    冷風取入れ口
２０    第２の生地
３０    間隙
４０    冷風
５０    後身頃
６０    前身頃
６１    左前身頃
６２    右前身頃
７０    袖
８０    フード
１００    空調着用具
Ｃ１、Ｃ２、Ｃ３、Ｆ１、Ｆ２、Ｆ３、Ｆ４、Ｒ１、Ｒ２、Ｒ３、Ｒ４    温度センサーの装着位置
【図１】
2019157300.tif 000005
【図２】
2019157300.tif 000006
【図３】
2019157300.tif 000007
【図４】
2019157300.tif 000008
【図５】
2019157300.tif 000009
【図６】
2019157300.tif 000010